(57)【要約】【課題】  市場販売の電池を取って代わって電気設備の電池室内に詰め込むことが出来、電池の電力を提供し、そして市場販売の電池の使用量を大幅に低減でき、環境保護に寄与すること。【解決手段】  電力供給装置は、電源変換器の出力電線の末端に少なくとも一つの模擬電池コネクターが設けられ、該模擬電池コネクターに一つの正電極と一つの負電極が設けられることにより、先ず該電源変換器が交流電源を直流電源に変換でき、更に該直流電源が該出力電線を経由して該模擬電池コネクターの正・負電極の上に伝送されるが、該模擬電池コネクターが電気設備の電池室に詰め込まれた時に、該模擬電池コネクターは、つまり市場販売の電池を取って代わることが出来、該直流電源を提供して該電気設備の使用を行い、このようにしたら、該模擬電池コネクターを利用して該電気設備の使用に必要な電力供給インターフェース方式と看做し、市場販売の電池の使用量を大幅に低減できるだけでなく、同時に環境保護の効果も達成できる。【選択図】図１ａ
0003156949.tif 000002
【実用新案登録請求の範囲】
【請求項１】
電力供給装置は、一つの電源変換器と少なくとも一つの模擬電池コネクターを含むが、電源変換器が一つの入力端と一つの出力端を有し、直流電源が該入力端を経て入力して交流電源に変換できた後に、該出力端を経て出力電線と上向きに接続して出力されるが、模擬電池コネクターが該出力電線の末端に設けられ、一つの正電極と一つの負電極が設けられ、該正電極が該出力電線の正極端と電気的に接続され、該負電極が該出力電線の負極端と電気的に接続され、そして互換性のある電気設備の電池室内に放置でき、交流電源の使用と看做すように提供することを特徴とする、電力供給装置。
【請求項２】
該模擬電池コネクターは、型番−D（１号電池（単一乾電池）），型番−C（2号電池），型番−AA（3号電池（単二乾電池）），型番−AAA（4号電池），四角型電池とボタン型電池から選ばれる何れか1種であることを特徴とする、請求項１に記載の電力供給装置。
【請求項３】
ひいては該模擬電池コネクターは、電気設備の直列・並列電池室の上に使用され、正・負電極と互いに接続される短絡電池に直列・並列接続し、そして該直流電源を提供して該電気設備の使用を行うことを特徴とする、請求項１に記載の電力供給装置。
【請求項４】
該模擬電池コネクターには、一つの磁性素子と一つの他の磁性素子が設けられ、該磁性素子が該出力電線の正極端と電気的に接続され、該他の磁性素子が該出力電線の負極端と電気的に接続されることを特徴とする、請求項１に記載の電力供給装置。
【請求項５】
該電源変換器は、切替スイッチの切替により、使用しようとする電圧を選択して出力できることを特徴とする、請求項１に記載の電力供給装置。
【請求項６】
該模擬電池コネクターは、該出力電線の末端と互いに設けられる箇所に、ひいては夫々該模擬電池コネクターの上に設けられたメスジョイント及び該出力電線の末端の上にに設けられたオスジョイントを介し、正・負電極の電気的な接続を行うことを可能とすることを特徴とする、請求項１に記載の電力供給装置。
【考案の詳細な説明】
【技術分野】
【０００１】
本考案は、電力供給装置に関するもので、特に市場販売の電池を取って代わって電気設備の電池室に詰め込むことにより電池の電力を提供できる電力供給装置を、指す。
【背景技術】
【０００２】
故に、電池は、携帯式に供することが出来るエネルギーであるが、従って数多くの電気設備は、何れも設計上で電池の使用を支援することにより、ユーザーが屋外または室内にも係わらず、依然として該電池の設置にて該電気設備を使用することに寄与し、電池の使用が極めて広範で且つ便利であることを了解できる。
【考案の概要】
【考案が解決しようとする課題】
【０００３】
市場販売の電池が何れも消耗品に属し、エネルギーが使い尽くされた後に投げ捨てられ、古い廃棄電池が家庭ごみに混入して共に埋め込まれば、滲み出した水銀と重金属物質は、土壌に浸透し、地下水を汚染する可能性があり、ひいては魚類の身体，農作物の中に入り込み、人類の健康を間接的に脅かす。自然環境に対する最大の脅かしの5種類の物質に、電池が3種類の物質：水銀，鉛，カドミウムを含み、その廃棄電池中における電解液が時間と共に流し出し、且つ日常生活中に電池が頻繁に使用され、累積数量が驚異的で、環境に対する影響が非常に大きいである。従ってどのように電池の使用量を低減して環境保護の目的を達成するのは、関連する業界が努力しようとする課題となる。
【０００４】
本考案の創作者は、前述の慣用の従来技術により生成された各欠点に鑑み、より改良して革新しようと意図し、且つ多年を経て苦心して孤独に努力して鋭意に研究した後に、ついに本考案の電力供給装置を、成功的に研究して完成する。
【０００５】
本創作の目的は、電力供給装置を提供するもので、市場販売の電池を取って代わって電気設備の電池室内に詰め込むことが出来、電池の電力を提供し、そして市場販売の電池の使用量を大幅に低減でき、環境保護の効果を達成できる。
【課題を解決するための手段】
【０００６】
前述の目的を達成するために、本考案の技術手段は、電源変換器の出力電線の末端に少なくとも一つの模擬電池コネクターが設けられ、該模擬電池コネクターに一つの正電極と一つの負電極が設けられることにより、先ず該電源変換器が交流電源を直流電源に変換でき、更に該直流電源が該出力電線を経由して該模擬電池コネクターの正・負電極の上に伝送され、該模擬電池コネクターが電気設備の電池室に詰め込まれた時に、該模擬電池コネクターが、つまり市場販売の電池を取って代わることを可能とし、該直流電源を提供して該電気設備の使用を行うものである。
【図面の簡単な説明】
【０００７】
【図１ａ】本考案の電力供給装置およびその模擬電池コネクターの外観模式図である。
【図１ｂ】図1aの模擬電池コネクターの型番外観変化の模式図1である。
【図１ｃ】図1aの模擬電池コネクターの型番外観変化の模式図2である。
【図２ａ】本考案の電力供給装置の使用模式図1である。
【図２ｂ】本考案の電力供給装置の使用模式図2である。
【図３】図1aの模擬電池コネクターの他の変化模式図である。
【図４】図1aの模擬電池コネクターのオス・メスジョイントの模式図である。
【考案を実施するための形態】
【０００８】
以下に本考案に関するより好ましい実施例の詳細な説明およびその添付図を参照し、ひいては本考案の技術内容およびその目的効果をより了解できる。
【０００９】
図1aを参照して示すように、本考案の電力供給装置は、電源変換器11（Power Adapter）を一つ有し、その出力端の上に一つの出力電線12が接続され、該出力電線12の末端に少なくとも一つの模擬電池コネクター13が設けられ、該模擬電池コネクター13に一つの正電極131と一つの負電極133が設けられ、該正電極131が該出力電線12の正極端と電気的に接続され、該負電極133が該出力電線12の負極端と電気的に接続されることにより、先ず該電源変換器11の入力端が交流電源を直流電源に変換でき、更に該直流電源が該出力電線12を経由して該模擬電池コネクター13の正・負電極131、133の上へ伝送される。
【００１０】
前述の電源変換器11は、切替スイッチ111の切替により、使用しようとする出力電圧（例えば1.5ボルト，3ボルト，5ボルトなどの直流電源…）を選択できる。
【００１１】
更に図1a，図1bと図1cを参照して示すように、前述の模擬電池コネクター13は、各種の異なる型番外観の変化を行うことが出来、例えば図1aに示す型番−D（１号電池（単一乾電池）），型番−C（2号電池），型番−AA（3号電池（単二乾電池）），型番−AAA（4号電池），図1bに示す四角型電池および図1cに示すボタン型電池など…が、互換性のある電気設備の電池室21（例えば図2aに示すように）の内に対応して放置され、使用できる。
【００１２】
図2aを参照して示すように、本考案は、使用される時に、該模擬電池コネクター13を電気設備（例えば時計，湯沸器，電気スタンド等…）の電池室21の内に詰め込み、該模擬電池コネクター13は、つまり市場販売の電池を取って代わることが出来、該直流電源を提供して該電気設備の使用を行い、このようにしたら、該模擬電池コネクター13を利用して該電気設備の使用に必要な電力供給インターフェース方式と看做し、市場販売の電池の使用量を大幅に低減できるだけでなく、同時に環境保護の効果も達成できる。
【００１３】
図2bを参照して示すように、本考案は、使用される時に、一つの短絡電池23に対応して使用でき、該短絡電池23がダミー電池にてその正・負電極と互いに接続することにより、正・負電極が短絡（チャネル）を呈するダミー電池を形成するが、該模擬電池コネクター13が電気設備の直列・並列電池室22の上に使用される時に、その他に該電池室22の上に該短絡電池23をインストールすることが出来、該模擬電池コネクター13は、該短絡電池23との直列・並列接続を形成することにより、該直流電源を提供して該電気設備の使用を行う。
【００１４】
図3を参照して示すように、これが該模擬電池コネクター13の他の変化例あるが、該模擬電池コネクター13は、一つの磁性素子14（例えば強力磁石）と一つの他の磁性素子15（例えば強力磁石）を設けることが出来、該磁性素子14が該出力電線12の正極端と電気的に接続され、そして該他の磁性素子15が該出力電線12の負極端と電気的に接続されるが、該磁性素子14が該電池室21の正極端に吸着され、且つ該他の磁性素子15が該電池室21の負極端の上に吸着されることにより、該直流電源を提供して該電気設備の使用を行う。
【００１５】
図4を参照して示すように、これが前述の模擬電池コネクター13の各種の異なる型番外観の変化態様であるが、例えば図1aに示す型番−D（１号電池（単一乾電池）），型番−C（2号電池），型番−AA（3号電池（単二乾電池）），型番−AAA（4号電池），及び図1bに示す四角型電池は、該出力電線12の末端と互いに設けられる箇所に、ひいては夫々該模擬電池コネクター13の上に設けられたメスジョイント134及び該出力電線12の末端の上にに設けられたオスジョイント121を介し、正・負電極131、133の電気的な接続を行うこと出来る。
【００１６】
前述の詳細な説明は、本考案に対して実行可能な実施例の具体的な説明で、但し該実施例が本考案の実用新案登録請求の範囲を限定するために用いられるものではなく、例えば本考案の技術精神をまだ逸脱しない下で完成された等価な実施または変更が、何れも本発明の実用新案登録請求の範囲中に含まれるべきである。
【符号の説明】
【００１７】
11   電源変換器
12   出力電線
13   模擬電池コネクター
14   磁性素子
15   他の磁石
21   電池室
22   直列・並列電池室
23   短絡電池
111  切替スイッチ
131  正電極
133  負電極
【図１ａ】
0003156949.tif 000003
【図１ｂ】
0003156949.tif 000004
【図１ｃ】
0003156949.tif 000005
【図２ａ】
0003156949.tif 000006
【図２ｂ】
0003156949.tif 000007
【図３】
0003156949.tif 000008
【図４】
0003156949.tif 000009
【手続補正書】
【提出日】平成21年11月16日(2009.11.16)
【手続補正１】
【補正対象書類名】実用新案登録請求の範囲
【補正対象項目名】請求項３
【補正方法】変更
【補正の内容】
【請求項３】
ひいては該模擬電池コネクターは、電気設備の直列電池室又は並列電池室の上に使用され、正電極及び負電極と互いに接続される短絡電池に直列接続又は並列接続し、そして該直流電源を提供して該電気設備の使用を行うことを特徴とする、請求項１に記載の電力供給装置。
【手続補正２】
【補正対象書類名】実用新案登録請求の範囲
【補正対象項目名】請求項６
【補正方法】変更
【補正の内容】
【請求項６】
該模擬電池コネクターは、該出力電線の末端と互いに設けられる箇所に、ひいては夫々該模擬電池コネクターの上に設けられたメスジョイント及び該出力電線の末端の上に設けられたオスジョイントを介し、正電極及び負電極の電気的な接続を行うことを可能とすることを特徴とする、請求項１に記載の電力供給装置。